(57)【特許請求の範囲】
【請求項１】
ａ．スタイレット（１６）と、
ｂ．ブレードモジュール（１８）と、
を備える交換可能チップ（１０）であって、前記ブレードモジュール（１８）が、
ｉ．前記交換可能チップ（１０）を電源、信号源、又は両方に電気的に接続するか、信号的に接続するか、又はその両方をするエンクロージャ（３０）と、
ii．ブレード回路（４０）と、
を含み、前記ブレード回路（４０）が、
１．前記交換可能チップの動作、一つ又はそれ以上の機能を制御する一つ又はそれ以上のスイッチ（１２０）、を有し、
前記交換可能チップがハンドピースに接続可能及びそこから分離可能である、交換可能チップ。
【請求項２】
前記ブレード回路（４０）が、コントローラ、制御モジュール、ジェネレータ、又はそれらの組み合わせによってモニタされる識別回路（１５０）を含むか、又は、前記ブレード回路（４０）が、コントローラ、制御モジュール、ジェネレータ、又はそれらの組み合わせによってモニタされるキャパシタンスを生成する一つ又はそれ以上のキャパシタ（５０）を有する識別回路（１５０）を含む、請求項１に記載の交換可能チップ。
【請求項３】
前記エンクロージャ（３０）が、前記交換可能チップを創面切除器の前記ハンドピースに接続して前記ハンドピースから前記交換可能チップに電力が供給されるエンクロージャコネクタを含む、請求項１または２に記載の交換可能チップ。
【請求項４】
前記ブレード回路（４０）が前記交換可能チップの一つ又はそれ以上の機能を制御する制御回路を含み、前記一つ又はそれ以上のスイッチ（１２０）が前記制御回路の一部であり、前記一つ又はそれ以上のスイッチが、起動されると、一つ又はそれ以上の機能を活性化する、請求項１から３のいずれか１項に記載の交換可能チップ。
【請求項５】
前記制御回路がキャパシタを含み、一つ又はそれ以上の制御ボタン、前記一つ又はそれ以上のスイッチ、又は両方が活性化されておらず、前記制御回路に欠陥が存在すると、単極性エネルギー源、双極性エネルギー源、又は両方が、前記スタイレットを通して活性化されることが妨げられる、請求項４に記載の交換可能チップ。
【請求項６】
前記スタイレット（１６）が、外側チューブ（８４）と前記外側チューブ内に配置された内側チューブ（８２）とを含み、
一つ又はそれ以上のピンが前記外側チューブと電気的に連通し、前記一つ又はそれ以上のピンが、前記外側チューブが使用中に回転し且つ電気的連通を維持するように構成されており、
一つ又はそれ以上の制御ボタン（４２）、スイッチ、又は両方が、電源をスイッチオン・オフすることによって前記スタイレット（１６）への電力印加を制御する、請求項１から５のいずれか１項に記載の交換可能チップ。
【請求項７】
ａ．スタイレット（１６）と、
ｂ．ブレードモジュール（１８）と、
を備える交換可能チップ（１０）であって、前記ブレードモジュール（１８）が、
ｉ．接続エンクロージャ（３４）と、
ii．２つ又はそれ以上のピンを含む制御エンクロージャ（３２）と、
を含み、
前記２つ又はそれ以上のピンにおける信号のキャパシタンスが零である、交換可能チップ。
【請求項８】
前記接続エンクロージャ（３４）が電力を前記スタイレットに提供するためのばねピン（４４）を持たず、且つ前記ブレードモジュールがプリント回路基板を持たず、又はその両方である、請求項７に記載の交換可能チップ。
【請求項９】
ａ．請求項１から８のいずれか１項に記載の交換可能チップ（１４）をハンドピース（４）に挿入するステップと、
ｂ．信号を前記ハンドピース及び前記交換可能チップに提供するステップと、
ｃ．前記信号を提供するステップに応じて、前記交換可能チップによって生成されたキャパシタンスを検出するステップと、
を包含し、
前記検出ステップが、前記交換可能チップが双極性エネルギー、単極性エネルギー、無電力、又はそれらの組み合わせを提供するように構成されているかどうかを判定する、方法。
【発明の詳細な説明】
【技術分野】
【０００１】
本教示は、一般的に創面切除器ブレードモジュールに関し、より具体的には、一体型識別回路を有する創面切除器ブレードモジュールに関する。
【背景技術】
【０００２】
一般に、創面切除器はハンドピースとカット部とを含む。ハンドピースは、カット部における一つ又はそれ以上の回転部を回転させるモータを含む。カット部はカット窓を含み、このカット窓はカットブレードを露出させる。カットブレードは、組織、軟骨、骨、又はそれらの組み合わせを除去するために使用される。カットブレードは使用中に出血を招く結果となり得て、且つ、カットブレードは電気手術を実行するために電源を含み得る。典型的には、各創面切除器は一体型チップを含み、使用中にユーザは、凝固、吸引、切除、焼灼、又はそれらの組み合わせのような、創面切除器の意図された使用に基づいて、創面切除器を選択する。一般に、各ハンドピースは一つの型式のチップと共にのみ使用可能であって、異なる型式のチップが、異なる目的のために又は異なる機能を実行するために使用されるハンドピース及び創面切除器に搭載されることはできない。いくつかのチップは、複数のハンドピースと共に使用され得る。しかし、異なるハンドピースに搭載されると、機能のいくつかが動作し得ないか、又は適切に動作し得ないことがある。
【０００３】
さらに、創面切除器の電気的コンポーネントの大半は大きく（すなわち、手持ち装置に配置するには資さない）、及び／又は壊れやすいので、そうした構成要素は操作位置からできるだけ離して配置され、及び／又は、そうした構成要素は、創面切除器内に配置するにはかさばり過ぎるので保護チャンバ内に収容される。さらに、これらの構成要素は、創面切除器内の一部に配置されると流体に接触し得て、これが構成要素内の欠陥及び／又は損傷の原因となり得て、創面切除器の一つ又はそれ以上の機能に障害が生じ得る。加えて、創面切除器の一つ又はそれ以上の部分が使用後に洗浄されるときに、洗浄プロセスが電気的構成要素を損傷させ得る。例えば、洗浄の典型的な一方法は創面切除器をオートクレーブ内に配置して所定の時間期間だけ構成要素を加熱し、それから構成要素を流体内に配置して急速に構成要素を冷却することである。この急速加熱及び急速冷却は電気的コンポーネントを損傷させ得て、これより、これらの電気的コンポーネントは、洗浄され得る創面切除器の部分内に容易には配置され得ない。
【先行技術文献】
【特許文献】
【０００４】
【特許文献１】米国特許第５，８１０，８０９号明細書
【特許文献２】米国特許第５，８１４，０４４号明細書
【特許文献３】米国特許第５，９０４，６８１号明細書
【特許文献４】米国特許第５，８９９，９１５号明細書
【特許文献５】米国特許第６，０７４，３８６号明細書
【特許文献６】米国特許第６，７５２，８１６号明細書
【特許文献７】米国特許第６，９７９，３３２号明細書
【特許文献８】米国特許第７，２３７，９９０号明細書
【特許文献９】米国特許第７，６７４，２６３号明細書
【発明の概要】
【発明が解決しようとする課題】
【０００５】
いくつかの外科用器具の例は、特許文献１、特許文献２、特許文献３、特許文献４、特許文献５、特許文献６、特許文献７、特許文献８、及び特許文献９に見出され得て、これらは全て、あらゆる目的のために参照によってここに援用される。ハンドピースに搭載されることができ且つ各チップの機能の全てがユーザ入力無しに作用するような交換可能チップを有することは、魅力的であろう。交換可能チップに識別回路を含み、交換可能チップがハンドピース及び隣接回路と通信して、その隣接回路が識別回路に基づいて各交換可能チップを制御するような交換可能チップを有することは、魅力的であろう。交換可能チップの一つ又はそれ以上の機能を制御する制御スイッチを交換可能チップ内に有することは、魅力的であろう。必要とされることは、創面切除中に流体にさらされ得る回路構成要素を含み、その回路構成要素が適切に機能し、及び／且つ流体によって引き起こされ得る任意の欠陥によるショックからユーザを保護することである。
【課題を解決するための手段】
【０００６】
本教示は、スタイレットと、ブレードモジュールと、を備える交換可能チップであって、前記ブレードモジュールが、前記交換可能チップを電源、信号源、又は両方に電気的に接続するか、信号的に接続するか、又はその両方をするエンクロージャと、ブレード回路と、を含み、前記ブレード回路が、前記交換可能チップの動作、一つ又はそれ以上の機能を制御する一つ又はそれ以上のボタン、一つ又はそれ以上のスイッチ、又はその両方を有する交換可能チップを提供することによって、一つ又はそれ以上の現存する必要性を満たす。
【０００７】
本教示の他の可能な実施形態は、スタイレットと、ブレードモジュールと、を備える交換可能チップであって、前記ブレードモジュールが、前記交換可能チップを電源、信号源、又は両方に電気的に接続するか、信号的に接続するか、又はその両方をするエンクロージャと、識別回路を含むブレード回路と、を含み、前記ブレード回路が、コントローラ、制御モジュール、ジェネレータ、又はそれらの組み合わせに信号を提供し、前記コントローラ、前記制御モジュール、前記ジェネレータ、又はそれらの組み合わせが、前記交換可能チップの一つ又はそれ以上の機能を決定し、前記スタイレットが電極を持たない、交換可能チップを備える。
【０００８】
本教示の他の可能な実施形態は、スタイレットと、ブレードモジュールと、を備える交換可能チップであって、前記ブレードモジュールが、接続エンクロージャと、２つ又はそれ以上のピンを含む制御エンクロージャと、を含み、前記２つ又はそれ以上のピンにおける信号のキャパシタンスが零である、交換可能チップを備える。
【０００９】
本教示のさらに他の可能な実施形態は、ここでの教示による交換可能チップをハンドピースに挿入するステップと、信号を前記ハンドピース及び前記交換可能チップに提供するステップと、前記信号を提供するステップに応じて、前記交換可能チップによって生成されたキャパシタンスを検出するステップと、を包含し、前記検出ステップが、前記交換可能チップが双極性エネルギー、単極性エネルギー、無電力、又はそれらの組み合わせを提供するように構成されているかどうかを判定する、方法を包含する。
【発明の効果】
【００１０】
ここの教示は、ハンドピースに搭載されることができ且つ各チップの機能の全てがユーザ入力無しに作用するような交換可能チップを提供する。ここの教示は、交換可能チップに識別回路を含み、交換可能チップがハンドピース及び隣接回路と通信して、その隣接回路が識別回路に基づいて各交換可能チップを制御するような交換可能チップを提供する。ここの教示は、交換可能チップの一つ又はそれ以上の機能を制御する制御スイッチを交換可能チップ内に提供する。ここの教示は、創面切除中に流体にさらされ得る回路構成要素を含み、その回路構成要素が適切に機能し、及び／且つ流体によって引き起こされ得る任意の欠陥によるショックからユーザを保護する、交換可能チップを提供する。
【図面の簡単な説明】
【００１１】
【図１】交換可能チップを含む微細創面切除器を描く図である。
【図２】交換可能チップの一つの例の側面図である。
【図３】分解された交換可能チップの正面斜視図である。
【図４】分解された交換可能チップの後方斜視図である。
【図５】図３の接続エンクロージャの拡大図である。
【図６Ａ】線６−６に沿った図２の交換可能チップの断面図である。
【図６Ｂ】ここで教示される交換可能チップの代替的な構成の断面図である。
【図６Ｃ】ここで教示される交換可能チップの代替的な構成の断面図である。
【図７Ａ１】制御回路が開いているときの図６Ａの交換可能チップの構成を表す回路図である。
【図７Ａ２】回路が閉じているときの図７Ａ１の回路図である。
【図７Ｂ】図６Ｂの交換可能チップの構成を表す回路図である。
【図７Ｃ】図６Ｃの交換可能チップの構成を表す回路図である。
【図７Ｄ】交換可能チップの他の可能な構成を表す回路図である。
【発明を実施するための形態】
【００１２】
ここに提示される説明及び図は、当業者に本教示、その原理、及びその実用的な用途を知らせることを意図している。当業者は、特定の使用の要求に最もよく適合するように、本教示を様々な形態で適合及び適用し得る。したがって、ここで示される本教示の特定の実施形態は、本教示の網羅又は限界であることを意図していない。したがって、本教示の範囲は、上記の記述を参照して決定されるべきではなく、その代わりに、添付の請求項を参照して、そのような請求項が示す等価物の全範囲とともに、決定されるべきである。特許出願及び出版物を含む全ての記事及び文献は、あらゆる目的のために、参照によって援用される。以下の請求項から見出される他の組み合わせもまた可能であり、これらもまたここで、この書かれた記述内に参照によって援用される。
【００１３】
この教示は創面切除器、且つ好ましくは微細創面切除器を提供する。創面切除器は一般的に、ハンドピースと分離可能なブレードアセンブリ（すなわち交換可能チップ）とを含む。ハンドピースは、ハンドピースが使用中にブレードアセンブリを駆動し得るように、ブレードアセンブリの一部を受領する開口を含む。ハンドピースは、ブレードアセンブリの一つ又はそれ以上の回転カットチューブ（すなわちスタイレット）を駆動するモータ及び一つ又はそれ以上のギアを含み得る。ハンドピースの他の教示は、ハンドピース及び分離可能なブレードアセンブリを駆動するための一つ又はそれ以上の接続部を教示する2012年11月30日付けで出願された米国特許出願第61/731,919号の段落6〜8、26〜45、061〜062、065、及び70〜72、ならびに図１〜３のそれらを含むここでの教示から見出され得て、それらの教示は、ハンドピースならびに交換可能チップ及びその様々な構成要素との物理的接続及び電気的接続に関して、参照によってここに明示的に援用される。ハンドピース及びブレードアセンブリは、ハンドピース、ブレードアセンブリ、又はその両方が、使用後に洗浄、廃棄、又はその両方をされ得るように、分離可能であり得る。
【００１４】
好ましくは、ブレードアセンブリ（すなわち交換可能チップ）は廃棄可能であり得る。ブレードアセンブリは、チップ及び機械的エンクロージャを含む。ブレードアセンブリはスタイレット（すなわち一つ又はそれ以上のチューブ）を含む。例えば、交換可能チップは、内側チューブ、中間チューブ、外側チューブ、又はそれらの組み合わせを含み得る。ブレードアセンブリは、一つ又はそれ以上のチューブ、及び好ましくは２つ又はそれ以上のチューブを含み得る。一つ又はそれ以上のチューブは、任意の生体適合性材料から形成され得る。一つ又はそれ以上のチューブは、外科手術を実行するために使用され得る材料から形成され得る。一つ又はそれ以上のチューブは、外科手術を実行するために、曲げや破損、あるいはその両方無しに、押されたり、引っ張られたり、角度を付けられたり、あるいはそれらの組み合わせをされたりするほど十分に堅い材料から形成され得る。一つ又はそれ以上のチューブは、電気的に伝導する材料から形成され得る。一つ又はそれ以上のチューブは、ポリマ、金属、天然材料、合成材料、又はそれらの組み合わせから形成され得る。好ましくは、一つ又はそれ以上のチップは、ステンレススチール又は外科用スチールから形成される。好ましくは、スタイレットは、少なくとも外側チューブと内側チューブとを含み得る。スタイレットは、外側チューブ、少なくとも部分的に外側チューブ内に配置された中間チューブ、及び少なくとも部分的に中間チューブ及び外側チューブ内に配置された内側チューブを、有し得る。２つ又はそれ以上のチューブの各々は、接続され得る。好ましくは、２つ又はそれ以上のチューブの各々は、お互いに対して軸方向に独立しており、チューブの一つ又はそれ以上が、他のチューブを回転させること無く回転し得る。例えば、内側チューブ、中間チューブ、又はその両方が、外側チューブの内側で回転し得る。２つ又はそれ以上のチューブはお互いに対して回転し得て、チューブの回転は、ブレードアセンブリ、ハンドピース、又はその両方におけるセンサによって、ブレードアセンブリ、ハンドピース、又はその両方のブレードモジュール（すなわち機械的エンクロージャ）に置かれた送信機、磁石、カプセル内コネクタ、又はそれらの組み合わせによって、モニタされ得る。カプセル内コネクタ、２つ又はそれ以上の送信機、磁石通信、又はそれらの組み合わせに関する他の教示は、カプセル内コネクタ、２つ又はそれ以上の送信機、磁石通信、又はそれらの組み合わせに関する全ての目的のために参照によってここに援用される2011年10月3日付けで出願された米国特許出願第13/251,493号の段落0035〜0055、及び図２〜１４のものを含むここでの教示から見出され得る。あるいは、一つ又はそれ以上のチューブの相互に対する回転に関する他の教示は、ロックセレクタ、バイアス装置、及び起動セレクタに関する全ての目的のために参照によってここに援用される2013年3月12日付けで出願された米国特許出願第13/796,412号の段落004〜005、0012〜0038、及び図１Ａ〜４Ｃのものを含むここでの教示から見出され得る。
【００１５】
一つ又はそれ以上のチューブは、直線状でも、角度が付けられていても、曲げられても、湾曲されても、フレキシブルジョイントであっても（すなわち、外側チューブが曲げられたら、そのときに内側チューブがスピンできるようにフレキシブルであり得る）、あるいはそれらの組み合わせであってもよい。一つ又はそれ以上のチューブは一つ又はそれ以上の角度を形成し得て、一つ又はそれ以上の角度は、任意の角度、又は複数の角度の組み合わせであってもよく、角度が付いた部分を含んでもよく、あるいはその両方であってもよい。角度が付けられた部分は、堅い曲げ、アーチ状の曲げ、スイープ状の曲げ、又はそれらの組み合わせであり得る。一つ又はそれ以上のチューブは、一つ又はそれ以上のチューブが外科手術を実行するために使用され得るように、あるいは所定の位置で使用され得るように、機械的エンクロージャを含むブレードモジュールから延在して角度を形成し得る。
【００１６】
ブレードモジュールは、廃棄可能ブレードの一つ又はそれ以上の可動部分を収容する、一つ又はそれ以上のブレードの一つ又はそれ以上の部分がそこを通って延在する、又はその両方であるような、任意の装置であり得る。ブレードモジュールは、ユーザが握る固定部、回転可能部、又はその両方を含み得る。ブレードモジュールは、一つ又はそれ以上の可動部、スイッチ、制御部、ユーザ入力、回路基板、回路基板構成要素、又はそれらの組み合わせを収容する機械的エンクロージャ（すなわちエンクロージャ）を含み得る。エンクロージャは、ノーズコーン、コレット、ハンドピース、又はそれらの組み合わせに対して、固定され得る。エンクロージャは、一つ又はそれ以上の機能ボタンを含み得る。好ましくは、エンクロージャは少なくとも制御エンクロージャ及び接続エンクロージャを含み、これらは各々エンクロージャの一部を形成する。エンクロージャは、可動接続、ピボット可能接続、又はその両方を形成するロックレバーつきのシートを含み得て、ロックレバーはロック位置とアンロック位置との間で移動され得る。ロックレバー、ロックレバーによって動かされる構成要素（例えばロッキングスプライン）、コレット、ノーズコーン、内部ギア（例えばピニオンギア又はノースピースギア）、又はそれらの組み合わせに関する他の教示は、ロックレバー、ロックレバーによって動かされる構成要素、コレット、ノーズコーン、及び内部ギアに関する全ての目的のために参照によってここに援用される2013年2月26日付けで出願された米国特許出願第61/769,480号の段落0029〜0054及び図１〜１４、ならびに段落0055〜0070の関連する記述のものを含む教示から見出され得る。好ましくは、ロックレバーは、接続エンクロージャに動作可能に接続されている。
【００１７】
接続エンクロージャは、電力が交換可能チップに供給されるように電源に接続される交換可能チップの任意の部分であり得る。接続エンクロージャは耐水性であり得て、回路を流体からの接触から保護し得て、あるいはその両方であり得る。接続エンクロージャは、信号の送信、電力の伝達のために使用される一つ又はそれ以上の装置、一つ又はそれ以上の電気回路、又はそれらの組み合わせを、流体の存在下で接続エンクロージャが隔離し、欠陥を防ぐか、及び／又は実質的に低減させるように、十分にシールされ得る。接続エンクロージャは、直接的に電源に接続され得る。好ましくは、接続エンクロージャは直接的にハンドピースに接続し、電力がハンドピースを通して交換可能チップに供給される。接続エンクロージャは、交換可能チップとハンドピース、ジェネレータ、制御モジュール、又はそれらの組み合わせとの間の接続を形成し、制御信号の提供を援助する交換可能チップの任意の部分であり得る。接続エンクロージャは、交換可能チップをハンドピース、電源、又はその両方に電気的に接続する一つ又はそれ以上のプラグを含み得る。好ましくは、一つ又はそれ以上のプラグは一つ又はそれ以上の接続ピンを含み、電力、信号（例えば制御信号、電気信号など、又はそれらの組み合わせ）、又はその両方が、交換可能チップと電気的通信、信号通信、又はその両方の状態にある一つ又はそれ以上の構成要素の間で通信される。
【００１８】
各プラグは任意の数のピンを含み得て、交換可能チップは、所望の機能を実行し、隣接する構成要素（例えばハンドピース、ジェネレータ、制御モジュール、又はそれらの組み合わせ）との通信を提供し、ユーザ入力無しで一つ又はそれ以上の所望の機能又はその組み合わせを構成する。例えば、ユーザが交換可能チップをハンドピースに取り付けると、ジェネレータ、コントローラ、制御モジュール、又はそれらの組み合わせは、自動的に検出回路を使用して交換可能チップを検出する。各プラグは、一つ又はそれ以上のピン、２つ又はそれ以上のピン、あるいは３つ又はそれ以上のピンを含み得る。各プラグは、５つ又はそれより少ないピン、あるいは４つ又はそれより少ないピンを含み得る。一つ又はそれ以上のプラグは、ピンを有さなくてもよい。一つ又はそれ以上のプラグは、交換可能チップが電力無し、信号無し、又はその両方であるように、ピンを有さなくてもよい。好ましくは、各ピンは電気的に分離されている。例えば、プラグは３つの別個のプラグ部を有し得て、それらプラグ部の２つはピンを含み得て、それらプラグ部の１つはピンなしであってよい。プラグは、ピンの各々を収容するための別個のポケットを含み得る。プラグは凹部であってもよく、ハンドピースのような隣接する構成要素の一部を受けとめ得る。好ましくは、プラグは突起であって、電気的接続、信号接続、又はその両方が隣接する構成要素（例えばハンドピース）の内部で形成されるように、隣接する構成要素内に延在する。より好ましくは、プラグは、一つ又はそれ以上のピンを流体から保護するように構成され得る。プラグと隣接するハンドピースとの間に形成される接続は、プラグとハンドピースとの間に延在しているピン、ワイヤ、又はその両方が絶縁されて、エネルギーが患者、ユーザ、又はその両方に伝達されることを接続が防ぐように、十分にシールされ得る。プラグは、交換可能チップがハンドピースのような隣接する構成要素に取り付けられるときに、交換可能チップの位置合わせを援助する。プラグは、隣接する構成要素への電気的接続、信号接続、又はその両方の形成をプラグが援助するように、任意の形状及びサイズを有し得る。プラグは、対称的、非対称的、楕円状、円形であり得て、リップを含み得て、高くなった部分を含み得て、あるいはそれらの組み合わせであり得る。一つ又はそれ以上のピンは、プラグから接続エンクロージャ内の内部ポケットまで延在し得る。
【００１９】
内部ポケットは、一つ又はそれ以上のピンを収容し、一つ又はそれ以上のピンをコネクタに接続する援助をし、交換可能ハンドピースに対して電力を提供し、信号を提供し、又はその両方を行うか、又はそれらの組み合わせを行う、接続エンクロージャの任意の部分であり得る。好ましくは、内部ポケットは、接続ピンを隣接する構成要素に位置合わせし且つ隣接する構成要素と通信状態になるような任意のサイズ及び形状を有し得る。内部ポケットは、コネクタの形状を実質的にミラーリングして、コネクタがポケット内に実質的に自己位置合わせし、ピンと実質的に自己位置合わせし、又はその両方であるような形状を有し得る。内部ポケットは、組み立て中に、接続エンクロージャを交換可能チップの方に向ける援助をし得る。内部ポケットは、コネクタの内部ポケットとの位置合わせ、接続エンクロージャの交換可能チップとの位置合わせ、接続エンクロージャの制御エンクロージャとの位置合わせ、又はそれらの組み合わせを援助する、一つ又はそれ以上の接続サポートの近くに配置され得る。
【００２０】
一つ又はそれ以上の接続サポートは、コネクタ、接続エンクロージャ、交換可能チップ、制御エンクロージャ、又はそれらの組み合わせから、対向する構成要素の並置された凹部内に延在し得て、２つの隣接した構成要素の間の固定された接続を形成する援助となる。好ましくは、接続エンクロージャは、接続エンクロージャが交換可能チップと位置合わせされるように、且つコネクタが一つ又はそれ以上のピンと位置合わせされるように、交換可能チップの凹部に延在する２つ又はそれ以上の接続サポートを含み得る。より好ましくは、接続エンクロージャは、コネクタへの接続のための一つ又はそれ以上の接続サポート、及び制御エンクロージャへの接続のための一つ又はそれ以上の接続サポート、又はそれらの逆を含む。接続エンクロージャは、制御エンクロージャとの固定された接続を形成するために、各々の側に、一つ又はそれ以上の凹部、一つ又はそれ以上の接続サポート、又はそれらの組み合わせを含み得て、制御エンクロージャは、接続が形成されるように、一つ又はそれ以上の対向する凹部、一つ又はそれ以上の対向する制御サポート、又はそれらの組み合わせを含み得る。
【００２１】
制御エンクロージャは、交換可能チップの一つ又はそれ以上の機能をユーザが操作することを可能にする任意の構成要素であり得る。好ましくは、制御エンクロージャは、ここで論じた一つ又はそれ以上の機能を制御する一つ又はそれ以上の制御ボタン、及び／又は、一つ又はそれ以上のスイッチを含み、一つ又はそれ以上のボタン及び／又は一つ又はそれ以上のスイッチへのアクセス、又はその両方を含む。制御エンクロージャは、回路、内部構成要素、スイッチ、又はそれらの組み合わせの全て又は一部を取り囲んで保護し得る。接続エンクロージャは、流体の存在下で、信号の送信、電力の伝達のために使用される一つ又はそれ以上の装置、一つ又はそれ以上の電気回路、又はそれらの組み合わせを接続エンクロージャが隔離して、欠陥を防ぐか及び／又は実質的に低減するように、十分にシールされ得る。好ましくは、制御エンクロージャは、一つ又はそれ以上の機能が操作されるようにユーザが一つ又はそれ以上のスイッチを起動することを可能にしながら、回路、内部構成要素、一つ又はそれ以上のスイッチ、又はそれらの組み合わせの全て又は一部を保護し得る。例えば、制御エンクロージャはフレキシブルなポリマ製の部分を含み得て、これが流体の浸透に抵抗する。制御エンクロージャの全て又は一部は、一つ又はそれ以上のボタンが制御エンクロージャによって起動され且つ保護されるように、可鍛性、可圧縮性、可動性、又はそれらの組み合わせであり得る。好ましくは、制御エンクロージャは、ユーザがブレード回路の一つ又はそれ以上のボタンを起動することを許容しながら、ブレード回路をカバーし且つ保護する。
【００２２】
ブレード回路は、信号、電力、又はその両方をハンドピース、ジェネレータ、制御モジュール、又はそれらの組み合わせに送信するか及び／又はそこから受領する、交換可能チップ内の任意の回路であり得る。ブレード回路は、交換可能チップの一つ又はそれ以上の機能に接続され、実行し、制御し、又はそれらの組み合わせを行い得る。ブレード回路は、信号を、制御モジュール、ハンドピース、ジェネレータ、又はそれらの組み合わせに送信し得て、接続されている交換可能チップのタイプ、交換可能チップの機能、又はその両方を示す。ブレード回路は、一つ又はそれ以上の制御ボタン、一つ又はそれ以上のピン、一つ又はそれ以上のプリント回路基板、一つ又はそれ以上のソケット、一つ又はそれ以上のキャパシタ、又はそれらの組み合わせを含み得る。好ましくは、ブレード回路は、一つまたはそれ以上の機能性構成要素を一緒に接続するために、一つまたはそれ以上の機能性構成要素を制御するために、交換可能チップの機能の識別を援助するために、プリント回路基板を含む。
【００２３】
プリント回路基板は、操作中に、機能性構成要素が一つ又はそれ以上の所定の機能を実行し得るように、２つ又はそれ以上の隣接する機能性構成要素を電気的に接続し、信号的に接続し、又はその両方をし得る任意の構成要素であり得る。例えば、プリント回路基板は、ハンドピース、ジェネレータ、又はその両方から信号を受領し且つそこへ送信し得る（すなわち信号的に接続され得る）。他の例では、プリント回路基板は、ハンドピース、ジェネレータ、又はその両方に電力を伝達し且つそこから受け取り得る（すなわち電気的に接続され得る）。プリント回路基板は、回路のタイプ、交換可能チップのタイプ、又はその両方を識別するために使用され得る。プリント回路基板は、中間接続ピースを含み、そこに接続され、それを形成し、又はその組み合わせを行い得て、交換可能チップがここで論じられた機能の一つ又はそれ以上を実行し得る。例えば、プリント回路基板は接続の一方の極性を形成し得て、他の構成要素が接続の他方の極性を形成し得て、両方の極性が活性化されると、電力が供給される、好ましくは、プリント回路基板は十分に小さく、プリント回路基板はブレードモジュールの内部に完全に収納される。より好ましくは、プリント回路基板は十分に小さく、プリント回路基板は制御エンクロージャ内部にフィットする。プリント回路基板は、プリント回路基板が一つ又はそれ以上の制御ボタン、一つ又はそれ以上のキャパシタ、一つ又はそれ以上のソケット、又はそれらの組み合わせを含むように、十分に大きくてもよい。好ましくは、プリント回路基板は、一つ又はそれ以上の機能性構成要素がプリント回路基板に接続されて、ここに論じられた一つ又はそれ以上の機能を動作するように、十分に大きくてもよい。プリント回路基板は、一つ又はそれ以上の基板構成要素を含み得る。例えば、基板構成要素は、キャパシタ、ダイオード、抵抗器、チェナーダイオード、増幅器、スイッチ、又はこれらの組み合わせを含み得る。好ましくいは、少なくとも一つの制御ボタンが、プリント回路基板に電気的に接続され、且つ／又はその上に位置されている。
【００２４】
一つ又はそれ以上の制御ボタンは、交換可能チップの一つ又はそれ以上の機能を制御する任意の制御ボタンであり得る。一つ又はそれ以上の制御ボタンは、スイッチであり得る。一つ又はそれ以上の制御ボタンは、ユーザによって起動され、動かされ、信号的に動作され得るか又はそれらの組み合わせであり得る任意の制御ボタンであり得る。一つ又はそれ以上の制御ボタンは、プリント回路基板に接続され、制御エンクロージャの一部に向かって及び／又はそこに接触するように延在し得て、使用中に、ユーザは一つ又はそれ以上の制御ボタンを起動することができる。一つ又はそれ以上の制御ボタンは、駆動されると、交換可能チップの一つ又はそれ以上の機能を処理し得る。好ましくは、一つ又はそれ以上の制御ボタンは、起動されると、回路を閉じて、単極エネルギー及び／又は双極エネルギーがスタイレットを通過することを許容する。一つ又はそれ以上の制御ボタンは、内側チューブの回転、回転の方向、回転のタイプ（すなわち、信号、正回転、逆回転、又はそれらの組み合わせ）、あるいはそれらの組み合わせを制御するように使用され得る。電力、電気信号、又はその両方が、一つ又はそれ以上のピンを介して制御ボタンに、且つ／又はそこから、供給される。
【００２５】
一つ又はそれ以上のピンは、接続の形成を援助し得る任意のピンであり得る。一つ又はそれ以上のピンの各々は、入力であり得る。各システムは一つ又はそれ以上の入力、好ましくは２つ又はそれ以上の入力、あるいは３つ又はそれ以上の入力さえも有し得る。一つ又はそれ以上のピンは、固定されたピンとばねピンとの組み合わせであり得る。好ましくは、一つ又はそれ以上のピンの少なくともいくつかは、ばねピンであり得る。より好ましくは、一つまたはそれ以上の可動部分との接続を形成するために使用されるピンは、ばねピンであり得る。一つ又はそれ以上のばねピンは、電力、電気信号、制御信号、又はそれらの組み合わせをブレードモジュールへ且つ／又はそこから供給する任意のピンであり得る。ばねピンは、可動部分との、２つの可動部分の間での、あるいはその両方で、電気的接続、信号接続、又はその両方を形成する任意のピンであり得る。ばねピンは、一つ又はそれ以上の可動部を含み得る。一つ又はそれ以上の可動部は、ばねピンが動くとき、一つ又はそれ以上のチューブ（例えば、外側チューブ、中間チューブ、内側チューブ、又はそれらの組み合わせ）が動くとき、又はその両方のときに、電気的接続、信号接続、又はその両方が維持されるように、動き得る。ばねピンは、ばねピンが接触していないときには延在し得て、接触しているときには引き込まれ得るように、バイアス部材を含み得る。バイアス部材は、ばねピンが隣接する部分（例えば一つ又はそれ以上のチューブ）と一定の接触を維持するように、十分な力でばねピンを延在し得る。バイアス部材は、ばねピンが一つ又はそれ以上のチューブの外径に接触し、直径に変化があっても接触を維持するように、ばねピンを延在し得る。好ましくは、バイアス部材は十分な強度を有し、使用中にバイアス部材がばねピンの各々の外側チューブ、中間チューブ、又はその両方へのそれぞれ一定の接触を維持するように、十分な長さを有する。一つ又はそれ以上のばねピンは、一つ又はそれ以上の隣接するソケットを通して、電源、制御信号、又はその両方に接続され得る。
【００２６】
一つ又はそれ以上のソケットは、ピン、ワイヤ、電源、信号源、又はそれらの組み合わせを、プリント回路基板、コネクタ、ブレードモジュール、又はそれらの組み合わせに接続する任意の装置であり得る。一つ又はそれ以上のソケットは、電力、信号、又はそれらの組み合わせがブレードモジュールに、そこから、そこを通って、又はその組み合わせを通過する固定された接続を形成する任意の装置であり得る。一つ又はそれ以上のソケットは、電力及び／又は信号、又はそれらの組み合わせを伝達するために使用される一つ又はそれ以上のワイヤ、一つ又はそれ以上のピン、一つ又はそれ以上のコネクタ、一つ又はそれ以上の装置へのシールされた接続を形成する任意の装置であり得る。一つ又はそれ以上のソケットは、流体の存在下でソケットが電気回路、電気的接続、又はその両方の欠陥を防ぐように構成され得る。ソケットは、電気的接続、信号接続、又はその両方を形成する任意の装置内及び／又は装置上に置かれ得る。一つ又はそれ以上のソケットは、プリント回路基板、コネクタ、又はその両方の内部に置かれ得る。一つ又はそれ以上のソケットは、使用中に信号が維持されるように、ピン、ワイヤ、電源、信号源、又はそれらの組み合わせとの固定された接続を提供し得る。好ましくは、少なくとも一つのソケットがプリント回路基板上に置かれ、少なくとも一つのソケットがコネクタに置かれる。より好ましくは、２つのコネクタが、一つ又はそれ以上のキャパシタに向き合うプリント回路基板に置かれる。
【００２７】
一つ又はそれ以上のキャパシタは、ブレードモジュールにキャパシタンスを提供する任意のキャパシタであり得る。キャパシタは、そのキャパシタのキャパシタンスがハンドピース、ジェネレータ、制御モジュール、又はそれらの組み合わせ内で測定され得るように十分に大きい。キャパシタは、キャパシタのキャパシタンス、キャパシタンスのシフト、又はその両方が、ハンドピース、ジェネレータ、制御モジュール、又はそれらの組み合わせ内で測定され得るように、ブレードモジュールの回路内の任意の位置に置かれ得る。各キャパシタのサイズ、キャパシタンス、又はその両方が、用途毎に変わり得る。好ましくは、交換可能チップの各タイプ（すなわち、チップの各々の異なる機能）が、ジェネレータ、ハンドピース、制御モジュール、又はそれらの組み合わせによって測定され得る異なる回路キャパシタンスを有する。例えば、使用されるキャパシタは、５ｎＦから１００ｎＦまでの範囲を取り得て、各々の対応するキャパシタンスは、ルックアップテーブル内の一つ又はそれ以上の機能に相関され得る。キャパシタは、約１ｐＦ又はそれ以上、約５ｐＦ又はそれ以上、約１０ｐＦ又はそれ以上、あるいは約１５ｐＦ又はそれ以上から始まる範囲を有する。キャパシタは、約１Ｆ又はそれ未満、約１００μＦ又はそれ未満、約１μＦ又はそれ未満、あるいは約１００ｎＦ又はそれ未満で終わる範囲を有する。キャパシタは、ハンドピース、ジェネレータ、制御モジュール、又はそれらの組み合わせが異なる交換可能チップ及びそれぞれの機能を、チップが接続されたとき、回路が電気的に励起されたとき、信号的に励起されたとき、またはそれらの組み合わせのときに、キャパシタンスの変化のみに基づいて識別し得るように、十分なサイズを有し得る。各キャパシタのキャパシタンスの相違は、ハンドピース、ジェネレータ、制御モジュール、又はそれらの組み合わせが、それぞれの測定されたキャパシタンスをルックアップテーブルに反復的に、正確に、又はその両方で参照し得るように、十分に識別可能であり得る。各キャパシタで使用されるキャパシタンスの相違は、約１Ｆ又はそれ以上、約５ｎＦ又はそれ以上、又は約１０ｎＦ又はそれ以上であり得る。各キャパシタのキャパシタンスの相違は、約１０００ｎＦ又はそれ未満、約５００ｎＦ又はそれ未満、又は約１００ｎＦ又はそれ未満であり得る。好ましくは、キャパシタはプリント回路基板に置かれて、ハンドピース、ジェネレータ、制御モジュール、又はそれらの組み合わせに電気的に接続される。各々の回路基板は、少なくとも２つのキャパシタを含み得る。一つの例では、キャパシタは別個の制御ループに、ハンドピースの機能の識別のための第1のループ（すなわち識別キャパシタ）及び第２のキャパシタ（すなわち制御キャパシタ）が、ハンドピースの機能の一つ又はそれ以上を起動するために使用される第２の制御ループ内で、電気的に接続され得る。しかし、このシステムは識別目的のキャパシタを全く持たなくてもよく、これよりこのシステムは、零及び／又は零近傍のキャパシタンスを有し得る。例えば、２つ又はそれ以上の入力、ピン、又はその両方が、それらが直接的に接続されてキャパシタ無しに識別回路を形成するように、シャ���トされ得る。他の例では、このシステムは制御キャパシタを有さず、識別キャパシタのみを含み得る。
【００２８】
一つ又はそれ以上の識別キャパシタは、ルックアップテーブルの所定の値に相関するキャパシタンスを有し、チップが存在するならば、交換可能チップが実行し得る機能を決定するために測定されたキャパシタンスが使用され得る、またはその両方であるような任意のキャパシタであり得る。一つ又はそれ以上の識別キャパシタは、与えられた交換可能チップの機能を識別するためにキャパシタンスが使用され得るほど十分に大きなものであり得る。一つ又はそれ以上の識別キャパシタは、一つ又はそれ以上の信号が識別キャパシタを通過して、搭載されている交換可能チップのタイプを識別するように、回路に沿ったどこにでも配置され得る。一つ又はそれ以上の識別キャパシタは、交換可能チップのタイプが識別され得るように、ジェネレータ、制御モジュール、ハンドピース、又はそれらの組み合わせに戻る信号のみを提供し得る回路内のループに配置され得る。このシステムは、複数の識別キャパシタを含み得る。一つ又はそれ以上の識別キャパシタは、一つ又はそれ以上の制御キャパシタに並列に、直列に、又はその両方で、配置され得る。
【００２９】
制御キャパシタは、一つ又はそれ以上のスイッチ、一つ又はそれ以上の制御ボタン、又はその両方が起動されたときにシステムにキャパシタンスを提供する、任意のキャパシタであり得る。例えば、システムは第１のキャパシタを有し得て、制御キャパシタを含むスイッチが起動されると、測定されたキャパシタンスが第２のキャパシタンスにシフトされ得る。制御キャパシタは、制御キャパシタを含む制御ループが完成すると（例えば、回路が閉じて電力を与えられると）、システムのキャパシタンスを変え得る。制御キャパシタは、読みが真の読みであるか又は誤った読みであるかをシステムが決定できるように、キャパシタンスをシステムに提供し得る。制御キャパシタは、スイッチ、制御ボタン、又はその両方が起動されて回路が完成したときのみ、システムにキャパシタンスを提供するか、及び／又は、システムのキャパシタンスを変える。制御キャパシタは、ジェネレータが創面切除器の一つ又はそれ以上の機能を制御することを援助して、一つ又はそれ以上の機能が欠陥によってではなくユーザによる命令によってのみ作動されるようにする。制御キャパシタは、電気的に接続されるか、信号的に接続されるか、又はその両方であり得て、交換可能チップの一部に欠陥があり、検出回路が、スイッチは開いているか、欠陥があるか、故障したか、又はそれらの組み合わせであると読み取るが、キャパシタンスにおけるシフトが測定されないと、システムは欠陥があるスイッチの機能を作動しない。一つ又はそれ以上のスイッチは、プリント回路基板、スイッチ、又はその両方に欠陥があるときには作動され得ない。好ましくは、一つ又はそれ以上のスイッチは、欠陥、正しくないインピーダンス、正しくないキャパシタンス、又はそれらの組み合わせがあるときには、作動され得ない。制御キャパシタは、スイッチ、制御ボタン、又はその両方が駆動されると（すなわち、閉じられると）、制御キャパシタがシステムのキャパシタンスのみを変えるように、回路内部に構成され得る。制御キャパシタは、ハンドピース、ジェネレータ、制御モジュール、又はそれらの組み合わせに、一つ又はそれ以上のコネクタを通して、電気的に接続されるか、信号的に接続されるか、又はその両方であって、システムのキャパシタンスが間欠的にモニタされるか、及び／又は連続的にモニタされる。
【００３０】
一つ又はそれ以上のコネクタは、一つ又はそれ以上のピンを受け止めて、それらのピンを隣接する構成要素に電気的に接続するか、信号的に接続するか、又はその両方である任意の装置であり得る。一つ又はそれ以上のコネクタは、一つ又はそれ以上のピン及び一つ又はそれ以上のチューブ、一つ又はそれ以上のプリント回路基板、又は両方の間に電気的接続、信号的接続、又はその両方を提供する援助をする任意の装置であり得る。好ましくは、一つ又はそれ以上のコネクタは、可変する直径を有する一つ又はそれ以上のチューブとの接続を生成する援助をして、装置の一つ又はそれ以上の機能が使用され得るようにする。一つ又はそれ以上のコネクタは、一つ又はそれ以上のばねピン、一つ又はそれ以上のソケット、一つ又はそれ以上のピン、一つ又はそれ以上のコネクタサポート、又はそれらの組み合わせを含み得て、コネクタが、一つ又はそれ以上の電気的接続、一つ又はそれ以上の信号接続、又はその両方を生成する援助をする。一つ又はそれ以上のコネクタは、２つの電気的な地点、２つの信号点、又はその両方の間に、中間物を形成し得る。コネクタは、中間チューブ、内側チューブ、又はその両方との電気的接続、信号接続、又はその両方を、直接的に形成し得る。コネクタは、外側チューブ、中間チューブ、又はその両方との電気的接続、信号接続、又はその両方を、間接的に形成し得る。コネクタは、電力がプリント回路基板に供給されるように、プリント回路基板との一つ又はそれ以上の接続を形成し得る。コネクタは、２つ又はそれ以上の電気的入力、信号入力、又はその両方を、電気的に隔離し得る。コネクタは、交換可能チップの一つ又はそれ以上の機能が利用され得るように、回路を完成させる援助をし得る。一つ又はそれ以上のコネクタが、一つ又はそれ以上の電極の全て又は一部に接続され及び／又は形成し得る。
【００３１】
一つ又はそれ以上の電極は、スタイレットに電力を提供する任意の電源点であり得る。好ましくは、一つ又はそれ以上の電極はスタイレットに電力を提供して、スタイレットは単極性エネルギー源又は双極性エネルギー源を提供し得る。例えば、電極は、一つ又はそれ以上のピン、コネクタ、一つ又はそれ以上のワイヤ、プリント回路基板から構成され得て、チューブの一つ又はそれ以上が励起されるように、電力をスタイレットの一つ又はそれ以上のチューブに提供する。電極は、スタイレットに電力を直接的に及び／又は間接的に提供する任意の装置であり得る。電極は、電力をハンドピースからスタイレットに提供してスタイレットを励起する任意の装置であり得る。電極は、プリント回路基板からスタイレットのチューブに延在するワイヤであり得る。好ましくは、電極は、ハンドピースから２つの隣接する入力ピンの間に直接的に延在して電気的に接続するか、信号的に接続するか、又はその両方を行うコネクタではない。例えば、第１のピン及び第２のピンが交換可能チップに延在し得て、信号が一つのピンを介してチップに入り、直ちに他方のピンを介してチップから出てくるように、直接的に一緒に接続され得る。他の例では、２つのピンがシャントを介して直接的に接続され得て、接続は零キャパシタンスを有する識別回路であり、回路は電極無しである。コネクタによって直接的に一緒に接続された２つのピンは、識別回路である回路を形成し得る。
【００３２】
回路は、微細創面切除器の一つ又はそれ以上の機能を制御する任意の回路であり得る。回路は、交換可能チップの機能を識別するために使用され得る。例えば、回路は、制御モジュール、ジェネレータ、又はその両方に接続され得て、回路の一つ又はそれ以上の測定された条件に基づいて、交換可能チップの機能を決定する。回路は、一つ又はそれ以上のルックアップテーブルに信号的に接続され得る。回路は、一つ又はそれ以上の入力を含み得る。一つ又はそれ以上の入力は、与えられた信号、与えられた電力、又はその両方であり得て、回路が生成される。回路は、一つ又はそれ以上の出力を含み得る。一つ又はそれ以上の出力は、信号を返す、電力を返す、交換可能チップの一部に電力を与える、又はそれらの組み合わせを行う回路の任意の部分であり得る。一つ又はそれ以上の出力は、好ましくは、ピンの一つ又はそれ以上からスタイレットのチューブの一つ又はそれ以上に電力を提供する。一つ又はそれ以上の出力は、回路からピン、ばねピンへ、又はその両方へ、且つスタイレットのチューブへ、電力を提供し得る。一つ又はそれ以上の出力は、シャントされ得る。
【００３３】
開放回路は、電気的にブロックされるか、信号的にブロックされるか、又はその両方であって、一つ又はそれ以上の隣接する構成要素、一つ又はそれ以上の回路、又はその両方からスタイレットの一つ又はそれ以上のチューブに延長している電力、信号、又はその両方がスタイレットに達しないようにする。開放回路は、終端されている任意の回路であり得る。開放回路は、回路のブロックされた部分であり得る。開放回路は、電気的接続、信号接続、又はその両方が終端されるように、一つ又はそれ以上のピン、一つ又はそれ以上のばねピン、又はそれらの両方が存在しないことであり得る。開放回路は、識別回路、制御回路、又はその両方を終わらせ得る。開放回路は、回路の一つ又はそれ以上の識別部及び一つ又はそれ以上の制御部を終端させ得る。好ましくは、識別回路は開放回路ではない。例えば、識別部（すなわち、識別回路）は、システムが交換可能チップの機能を識別するように、電気的フィードバック、信号フィードバック、及びその両方をマイクロプロセッサ、ジェネレータ、コントローラ、又はそれらの組み合わせに提供し得て、制御部（すなわち、制御回路）は、その一つ又はそれ以上の機能を操作し得る。
【００３４】
回路の識別部（以下では、識別回路）は、交換可能チップの機能が識別され得るように何らかのフィードバックを提供する任意の部分であり得る。識別回路は、交換可能チップの機能、交換可能チップのタイプ、電極の数、又はそれらの組み合わせを識別するために使用され得る信号を生成し得る。交換可能チップの信号は、交換可能チップの機能を識別するために使用され得る任意の信号であり得る。信号は、コントローラ、制御モジュール、ジェネレータ、又はそれらの組み合わせが使用中に交換可能チップの一つ又はそれ以上の機能に電力を与えるか及び／又は制御するために使用され得る任意の信号であり得る。好ましくは、信号は、識別回路によって生じた周波数シフトであり得る。例えば、信号は、キャパシタの前では第１の周波数を有し、キャパシタの後では第２の周波数を有し得る。この周波数はルックアップテーブルにリストされ得る（例えば、ここで議論されているキャパシタンスはキャパシタの通過に基づく周波数変化と称し得る）。識別回路は、回路の入力と出力との間に接続されたループであり得る。識別回路は、回路の入力と出力との間にキャパシタのみを含み得る。識別回路は、一つ又はそれ以上の回路基板構成要素を含み得る。回路基板構成要素は、一つ又はキャパシタ、ダイオード、抵抗器、チェナーダイオード、増幅器、又はそれらの組み合わせを含み得る。識別回路は、一つ又はキャパシタ、ダイオード、抵抗器、チェナーダイオード、増幅器、又はそれらの組み合わせの一つ又はそれ以上を有さなくてもよい。識別回路は、スイッチ又は制御ボタンを有さなくてもよい。識別回路は、交換可能チップがひとたびハンドピースに接続されると閉じたままになり得て、交換可能チップの一つ又はそれ以上の機能の識別が測定され得る。一つ又はそれ以上の識別回路は、一つ又はそれ以上の制御回路と、並列、直列、又はその両方であり得る。
【００３５】
一つ又はそれ以上の制御部（以下では制御回路）は、交換可能チップの機能を制御する任意の回路であり得る。一つ又はそれ以上の制御回路は、交換可能チップの機能がオン・オフされ得ようにユーザによって開閉され得る任意の回路であり得る。制御回路は、交換可能チップの機能がオン・オフされ得るように開閉するスイッチ、制御ボタン、又はその両方を含む任意の回路であり得る。制御回路は、一つ又はそれ以上の回路基板構成要素を含み得る。回路基板構成要素は、キャパシタ、ダイオード、抵抗器、チェナーダイオード、増幅器、又はそれらの組み合わせを含み得る。制御回路は、キャパシタ、ダイオード、抵抗器、チェナーダイオード、増幅器、又はそれらの組み合わせを有さなくてもよい。好ましくは、制御回路はキャパシタを含み、スイッチ、制御ボタン、又はその両方が起動されるとシステムのキャパシタンスが変わる。制御回路のキャパシタは、所与の制御回路の機能に基づいて変わり得て、キャパシタンスは、コントローラ、制御モジュール、ジェネレータ、又はそれらの組み合わせがスイッチ、制御ボタン、又はその両方の起動によってリクエストされている機能を確認するように、ルックアップテーブルに基づいて変化し得る。制御回路は、識別回路、一つ又はそれ以上の入力、又はその両方に、電気的に接続されるか、信号接続されるか、又はその両方であり得る。一つ又はそれ以上の入力は、一つ又はそれ以上の機能が使用され得て、一つ又はそれ以上の機能が識別され得て、あるいはその両方であるように回路を完成させる任意の入力であり得る。好ましくは、制御回路は、一つ又はそれ以上のスイッチを含む。
【００３６】
一つ又はそれ以上のスイッチは、識別回路と動作回路との間でスイッチし得る任意のスイッチであり得る。一つ又はそれ以上のスイッチは、機能を作動し得る。一つ又はそれ以上のスイッチは、ここで論じられているような制御ボタンであり得る。一つ又はそれ以上のスイッチは、回路の一部を閉じてバイパスを生成し、回路を形成し、又はその両方を行いえる任意のスイッチであり得る。例えば、スイッチが閉じられると、信号、電力、又はその両方は回路の識別部をバイパスして、電力、信号、又はその両方が、交換可能チップの一つ又はそれ以上の機能が利用され得るように供給され得る。一つ又はそれ以上のスイッチは、閉じられると、電力をシステムに供給し得て、システムのキャパシタンスを変え得て、一つ又はそれ以上の機能に電力が与えられるように信号をジェネレータ、制御モジュール、又はその両方に送り得る。
【００３７】
ジェネレータは、交換可能チップに電気的に接続されるか、信号的に接続されるか、又はその両方であって、創面切除器の一つ又はそれ以上の機能の制御、創面切除器の一つ又はそれ以上の機能の識別、又はその両方を援助する任意の装置であり得る。ジェネレータは、一つ又はそれ以上の制御モジュール、一つ又はそれ以上のコントローラ、又はその両方を含み得て、識別回路、一つ又はそれ以上のスイッチ、ハンドピース、交換可能チップ、又はそれらの組み合わせをモニタして、一つ又はそれ以上の機能が認識され、制御され、電力を与えられ、あるいはそれらの組み合わせであるようにし得る。ジェネレータ、コントローラ、制御モジュール、又はそれらの組み合わせは一つ又はそれ以上のアルゴリズムを含み得て、これは連続的にリアルタイムでモニタし、動作のモードを変える（例えば、交換可能チップの存在、交換可能チップの取り外し、単極性エネルギー、双極性エネルギー、又はその両方の作動、単極性エネルギー、双極性エネルギー、又はその両方の停止、又はそれらの組み合わせ）。このアルゴリズムは、一つ又はそれ以上のルックアップテーブルを含み得る。ジェネレータは、システム、創面切除器、交換可能チップ、又はそれらの組み合わせの信号測定、キャパシタンス、又はその両方を間欠的にモニタするか、連続的にモニタするか、又はその両方を行う任意の装置であり得る。好ましくは、ジェネレータは交換可能チップの信号測定、キャパシタンス、又はその両方を連続的にモニタして、ジェネレータがその設定を交換可能チップの設定に調整し、ユーザに交換可能チップについての制御オプションを提供し、交換可能チップの一つ又はそれ以上の機能を実行するようにシステムを構成し、又はそれらの組み合わせができるようにする。ジェネレータは、一つ又はそれ以上の検出回路を含み得る。
【００３８】
一つ又はそれ以上の検出回路は、交換可能チップの信号を検出する任意の回路であり得る。好ましくは、一つ又はそれ以上の検出回路は、交換可能チップのキャパシタンスを検出して、交換可能チップの機能、交換可能チップの使用、交換可能チップの構成、又はそれらの組み合わせを確認する任意の回路であり得る。検出回路は、一つ又はそれ以上の制御モジュール、一つ又はそれ以上のコントローラ、一つ又はそれ以上のマイクロプロセッサ、又はそれらの組み合わせを含み得て、交換可能チップの信号をモニタする。一つ又はそれ以上の検出回路は、一つ又はそれ以上のＲＦジェネレータを含み得る。
【００３９】
一つ又はそれ以上のＲＦジェネレータは、一つ又はそれ以上の回路、回路の一つ又はそれ以上のレグ、又はその組み合わせに電力、信号、又はそれらの組み合わせを提供し得る任意の装置であり得る。一つ又はそれ以上のＲＦジェネレータは、検出回路がキャパシタンス、キャパシタンスの変化、周波数のシフト、インピーダンスの変化、又はそれらの組み合わせのために回路をモニタし得るように、回路に信号を提供し得る。一つ又はそれ以上のＲＦジェネレータは、チップが双極性エネルギーを提供し、単極性エネルギーを提供し、回転し、並進運動し、振動し、又はそれらの組み合わせを行い得るように、回路に電力を提供し得る。ＲＦジェネレータは、電力を、２つのレグに同時に提供し、一つのレグに提供し、一つのレグに提供して戻りレグに電力を与え、一つのレグを通して提供して識別回路を通して電力、信号、又はその両方を提供し、一つのレグに提供してシャントを通して電力、信号、又はその両方を提供し、又はその組み合わせを行い得る。ＲＦジェネレータからの信号、電力、又はその両方は、識別回路、制御回路、又はその両方を通って伝達し、ジェネレータ、コントローラ、制御モジュール、又はそれらの組み合わせによってモニタされ、一つ又はそれ以上のルックアップテーブルにおける所定の値と比較される。
【００４０】
一つ又はそれ以上のルックアップテーブルは、検出回路内、ジェネレータ内、検出回路の制御モジュール内、検出回路のコントローラ内、又はその組み合わせの内部に配置され得る。好ましくは、検出回路が交換可能チップからの信号を検出すると、検出回路は信号測定値（例えばキャパシタンス）をルックアップテーブル内の信号測定値のリストと比較して、搭載されたチップの機能、搭載されたチップのタイプ、又はその両方を決定する。交換可能チップの検出及び信号測定値のルックアップテーブルとの比較の後に、検出回路は、信号測定値、信号測定値の変化、又はその両方に基づく一つ又はそれ以上のスイッチのステータスのために信号をモニタし得る。ジェネレータは、全体的に及び／又は部分的に、ハンドピースに設けることができ、ハンドピースの外部に全体的に及び／又は部分的に設けられる個別の装置であり得て、又はその両方の組み合わせであり得る。ジェネレータは、ユーザによって作動された機能、ユーザによって選択された機能、交換可能チップの識別された機能、又はその組み合わせにしたがって、交換可能チップに電力を与え得る。好ましくは、ジェネレータは、一つ又はそれ以上の所望の機能に電力を与え得る。
【００４１】
交換可能チップの機能は、ユーザによって選択された任意の機能であり得る。交換可能チップの機能は、ユーザが手順を実行する援助をする任意の機能であり得る。これらの機能は、単極性電力の印加、双極性電力の印加、停止、正回転、逆回転、振動回転（例えば、正回転して、それから逆回転する、又はその逆）、並進（遠方に、それから近方に、又はその逆）高速回転、低速回転、非回転、あるいはそれらの組み合わせであり得る。好ましくは、交換可能チップの機能の少なくとも一つは、内側チューブの回転である（すなわち、正方向、逆方向、又は振動）。これより、一つの例では、システムは、正回転する交換可能チップに対して一つの信号測定値、一つのキャパシタンス、又はその組み合わせを含み、逆回転する交換可能チップに対して第２の信号測定値、第２のキャパシタンス、又はその組み合わせを含み、振動回転する交換可能チップに対して第３の信号測定値、第３のキャパシタンス、又はその組み合わせを含む。他の例では、単極性エネルギー能力を有する低速回転交換可能チップが、高速回転する双極性エネルギー交換可能チップとは異なる信号測定値、異なるキャパシタンス、又はその両方を有し、これらの値はルックアップテーブルにリストされて、ジェネレータ、制御モジュール、コントローラ、又はそれらの組み合わせが、所与の交換可能チップの特定の機能を識別し、それにしたがってチップに電力を与え得る。
【００４２】
ルックアップテーブルは、交換可能チップの様々な機能の全て、及び様々な交換可能チップの対応するキャパシタンス、信号測定値、又はその両方をリストする任意のテーブルであり得る。ルックアップテーブルは、交換可能チップの様々な機能の各々を、信号測定値と比較してリストし得て、信号測定値に基づいて、特定のチップの機能が知られる。好ましくは、ルックアップテーブルは、機能の各々の組み合わせを対応するキャパシタンスと共に含み、交換可能チップの搭載時に、ジェネレータ、制御モジュール、コントローラ、又はそれらの組み合わせが、交換可能チップの能力の全てを決定し得る。ルックアップテーブルは、信号測定値、信号測定値の変化、又はその両方の組み合わせに基づいて、一つ又はそれ以上のスイッチのステータスを提供し得る。例えば、交換可能チップが搭載されると、信号測定値は第１のキャパシタンス（例えばキャパシタによって引き起こされた周波数の変化）であり得て、スイッチが起動されると、キャパシタンスは、スイッチが閉じられたことを示す第２のキャパシタンスに増加し得る（例えば、スイッチが閉じられると、第１のキャパシタの容量値が第２のキャパシタの容量値に加算され、第２のキャパシタンスに到達する）。ジェネレータ、制御モジュール、コントローラ、又はそれらの組み合わせは、各々の交換可能チップの決定された機能に基づいて、システムを構成し、再構成し、設定し、又はそれらの組み合わせを行う。ジェネレータは、ルックアップテーブルからのチップのタイプに基づいて、創面切除器の一つ又はそれ以上の機能を作動する。ジェネレータは、所定の手順が生成され得るように、ジェネレータ内のユーザインターフェースにロードされた一つ又はそれ以上の所定の機能を、励起及び／又は制御し得る。
【００４３】
ここで論じられた回路は、交換可能チップを検出し、交換可能チップのタイプ、交換可能チップの機能、又はそれらの組み合わせを識別する方法とともに、使用され得る。この方法のステップは、仮想的に任意の順番で、あるいはいかに述べられるように、実行され得る。ＲＦジェネレータは、信号、電力、又はその両方を、一つ又はそれ以上の回路に提供し得る。信号、電力、又はその両方は、識別回路、シャント、制御回路、又はそれらの組み合わせを通って伝達し得る。コントローラ、マイクロプロセッサ、ジェネレータ、又はそれらの組み合わせは、信号、電力、又はその両方を、ルックアップテーブル内の一つ又はそれ以上の所定の値と比較し得る。コントローラ、マイクロプロセッサ、ジェネレータ、又はそれらの組み合わせは、システム、一つ又はそれ以上の回路、又はその両方を、キャパシタンスのシフト、インピーダンスのシフト、又はその両方のためにモニタして、そのシフトをルックアップテーブルと比較し得る。コントローラ、マイクロプロセッサ、ジェネレータ、又はそれらの組み合わせは、信号をＲＦジェネレータに提供して、電力、信号、又はその両方を、回路のいずれのレグにも与えないか、回路の一つのレグに与えるか、回路の両方のレグに与えるか、回路の一つのレグ及び戻りリードに与えるか、又はその組み合わせを行い得る。コントローラ、マイクロプロセッサ、ジェネレータ、又はそれらの組み合わせは、周波数の第１のシフト、周波数の第２のシフト、周波数の第３のシフト、又はそれらの組み合わせを、リアルタイムでモニタし得る。例えば、周波数の第１のシフトは、搭載されているチップを示し得て、周波数の第２のシフトは、作動されているスイッチを示し得て、周波数の第３のシフトは、閉じられているスイッチを示し得て、周波数の第４のシフトは、チップの取り外しを示し得る。
【００４４】
図１は、ハンドピース４、チューブセット６、及び交換可能チップ１０を含むここでの教示による微細創面切除器２を描く。交換可能チップ１０は、スタイレット１６の一部の回転を防ぐロック機構１２を有するノーズコーン１４を含む。ノーズコーン１４は、交換可能チップ１０が微細創面切除器２に接続されると、微細創面切除器を越えて延在する。
【００４５】
図２は、ここでの教示による交換可能チップ１０の一つの例の側面図を描く。交換可能チップ１０は、ノーズコーン１４から延在しているスタイレット１６を含み、ユーザがスタイレット１６を回転させるためにこれを使用し得る。エンクロージャ３０を有するブレードモジュール１８が、ノーズコーン１４の後ろに配置されている。エンクロージャ３０は、制御エンクロージャ３２及び接続エンクロージャ３４を含む。交換可能チップ１０の後方部分は、コレット８０、内側チューブ８２、及びブレードモジュール１８を有し、各々の少なくとも一部が、ハンドピース４（図示されていない）内に延在している。
【００４６】
図３は、ここで教示された一つの交換可能チップ１０の分解図を描く。交換可能チップ１０は、ノーズコーン１４から延在しているスタイレット１６を含む前進部分を含む。エンクロージャは、制御エンクロージャ３２及び接続エンクロージャ３４を含み、これらは、交換可能チップ１０のブレード回路４０を囲む。ブレード回路４０は、制御ボタン４２、ばねピン４４Ｂ、及びプリント回路基盤４６に搭載されたキャパシタ５０を含む。接続エンクロージャ３４は、ばねピン４４Ｃ、及びコレット８０の周囲に延在してソケット４８に接続するワイヤ７２を有するコネクタ６０を収容している。交換可能チップ１０の後方部分は、外側チューブ８４から取り外された内側チューブ８２を有するコレット８０を含む。
【００４７】
図４は、ブレード回路４０の後方斜視分解図を描く。ブレード回路４０は、描かれているように、プリント回路基板４６及び２つのソケット４８を含む。プリント回路基板４６にはばねピンはない。コネクタ６０は、コレット８０の周囲をプリント回路基板４６のソケットまで延在するワイヤ７２を有し、プリント回路基板４６とコネクタ６０とが電気的に接続されている。描かれているように、コネクタ６０にはばねピンは無い。
【００４８】
図５は、図３のコネクタ６０の拡大図を描く。コネクタ６０は接続エンクロージャ３４に収容され、コネクタサポート６８によってそれに接続されている。コネクタ６０は２つのソケット４８を含む。接続エンクロージャ３４は、描かれているように、左側接続ピン６２Ｂ、中間接続ピン６４Ｂ、及び右側接続ピン６６Ｂを含む。左側接続ピン６２Ｂ、右側接続ピン６４Ｂ、及び右側接続ピン６６Ｂは、コネクタ６０を通して、左側接続ピン６２Ａ、中間接続ピン６４Ａ、及び右側接続ピン６６Ａにそれぞれ接続されている。左側接続ピン６２Ａ、中間接続ピン６４Ａ、及び右側接続ピン６６Ａは、微細創面切除器２（図示せず）のハンドピース４（図示せず）からの電力をスタイレット１６（図示せず）に提供する。左側接続ピン６２Ａ及び右側接続ピン６６Ａは、コネクタ６０のソケット４８を介してコネクタ６０に接続されている。中間接続ピン６４Ａはばねピン４４Ｃである。
【００４９】
図６Ａは、図２の交換可能チップ１０の断面図を描く。制御エンクロージャ３２がブレード回路４０を収容する。ブレード回路４０は、プリント回路基板４６に接続された制御ボタン４２を含む。ばねピン４４Ｂは、プリント回路基板４６から延在して外側チューブ８４に接触する。キャパシタ５０はプリント回路基板４６に接続されている。内側チューブ８２は中間チューブ８６を通って延在し、内側チューブ８２及び中間チューブ８６の両方は外側チューブ８４を通って延在している。接続エンクロージャ３４は、接続エンクロージャ３２の下方に置かれている。接続エンクロージャ３４はコネクタ６０を含み、これは、コネクタ６０から延在して中間チューブ８６に接触するばねピン４４Ｃを有し、交換可能チップ１０が双極性エネルギーを供給するために使用される。
【００５０】
図６Ｂは、単極性エネルギーを供給するための可能な交換可能チップ１０の断面図を描く。交換可能チップ１０は開放回路７０を含み、これが、電力が第３の入力ピン１２６から外側チューブ８３を通って延在している内側チューブ８２まで渡ることを防いで、電力が、キャパシタ５０を含むプリント回路基板４６から延在しているばねピン４４Ｂを介して外側チューブ８４のみに供給される。図６Ｃは、非極性の可能な交換可能チップ１０の断面図である。交換可能チップ１０は、制御エンクロージャ３２内及び接続エンクロージャ３４内に開放回路７０を含み、電力は内側チューブ８２又は外側チューブ８４には供給されない。制御エンクロージャ３２にはキャパシタを有するプリント回路基板は無く、交換可能チップは零キャパシタンスを有する。
【００５１】
図７Ａ１及び７Ａ２は、回路１００を描く。回路１００は、交換可能チップ１０がハンドピース４及びジェネレータ８に接続されると完成する。ハンドピース１０は、識別回路１５０及び制御回路１６０を含む。識別回路１５０は、識別のための信号キャパシタンスを生成するキャパシタ５０(I)と、スタイレット（図示せず）に電力を提供するための外側チューブ８４とを含む。制御回路１６０は、キャパシタ５０(R)及びスイッチ１２０を含む。スイッチ１２０が開いていると１２０Ａ（図８Ａ１）、制御回路１６０は電力を提供せず、スイッチ１２０が閉じていると１２０Ｂ（図８Ａ２）、電力が制御回路を通って外側チューブ８４及びスタイレット（図示せず）に流れる。電力及び信号は、ハンドピース４から、第１の入力ピン１２２、第２の入力ピン１２４を通って、交換可能チップ１０、制御回路１６０、及び識別回路１５０に提供される。制御回路１６０及び識別回路１５０は検出回路１７０に接続され、これは、制御モジュール１７２及びＲＦジェネレータ１７４を含む。ハンドピース４は、中間チューブ８６に接続された第３の入力ピン１２６を含む。スイッチ１２０が１２０Ａから１２０Ｂに動かされると、電力が外側チューブ８４及び中間チューブ８６を通って伝達され、スタイレットは双極性エネルギーを生成する。描かれているように、第２のスイッチ１２０がジェネレータ８に接続されて、交換可能チップ１０のスイッチ１２０とは異なる機能を制御する。
【００５２】
図７Ｂは回路１００を描く。回路１００は、交換可能チップ１０がハンドピース４及びジェネレータ８に接続されると完成する。ハンドピース１０は、識別回路１５０及び制御回路１６０を含む。識別回路１５０は、識別のための信号キャパシタンスを生成し且つ電力を外側チューブ８４に提供するキャパシタ５０(I)を含む。制御回路１６０は、キャパシタ５０(R)及びスイッチ１２０を含む。スイッチ１２０が開いていると１２０Ａ、制御回路１６０は電力を提供せず、スイッチ１２０が閉じていると１２０Ｂ、電力が制御回路を通って外側チューブ８４及びスタイレット（図示せず）に流れる。電力及び信号は、ハンドピース４から、第１の入力ピン１２２、第２の入力ピン１２４を通って、交換可能チップ１０、制御回路１６０、及び識別回路１５０に提供される。制御回路１６０及び識別回路１５０は検出回路１７０に接続され、これは、制御モジュール１７２及びＲＦジェネレータ１７４を含む。戻り電極１４０がジェネレータ８に接続され、戻り電極１４０と第１の出力１３０との間で回路が完成して単極性エネルギーを供給する。ハンドピース４は、開放回路７０を有する第３の入力ピン１２６を含み、電力は内側チューブ８２には流れない。描かれているように、第２のスイッチ１２０はジェネレータ８に接続されて、交換可能チップ１０のスイッチ１２０とは異なる機能を制御する。
【００５３】
図７Ｃは回路１００を描く。回路１００は、交換可能チップ１０がハンドピース４及びジェネレータ８に接続されると完成する。ハンドピース１０は識別回路１５０を含み、制御回路は有さない。識別回路はキャパシタ５０(I)を含み、交換可能チップの機能は検出回路１７０によって識別されることができる。識別回路１５０と外側チューブ８４との間に開放回路が置かれていて、電力は識別回路１５０から外側チューブ８４へ流れない。識別回路１５０は、第１の入力ピン１７２及び第２の入力ピン１２４によって検出回路１７０に接続されている。検出回路１７０は制御モジュール１７２及びＲＦジェネレータ１７４を含み、回路１００を通って信号及び／又は電力を提供する。第３の入力ピン１２６がジェネレータ８に接続され、且つ開放回路７０を有していて、電力は第３の入力ピン１２６から内側チューブ８２へ流れない。第２の入力ピン１２０は、機能の制御のためにジェネレータ８に接続されている。
【００５４】
図７Ｄは回路１００を描く。回路１００は、交換可能チップ１０がハンドピース４及びジェネレータ８に接続されると完成する。第１の入力ピン１７２及び第２の入力ピン１２４は、交換可能チップ１０に電気的に接続され且つ信号的に接続され、且つシャント７４によって一緒に接続されていて、識別回路１５０が形成され、電力は外側チューブ８４へ流れない。識別回路１５０は検出回路１７０に接続され、これは制御モジュール１７２及びＲＦジェネレータ１７４を含む。ジェネレータ８は、交換可能チップ１０の機能の制御のためにスイッチ１２０に接続されている。第３の入力ピン１２６が交換可能チップ１０に接続され、且つ開放回路７０を含んでいて、電力は内側チューブ８２へ流れない。
【００５５】
ここで挙げられたあらゆる数値は、任意の低い値と任意の高い値との間が少なくとも単位だけ離れているとして、低い値から高い値の間で１単位ずつ増減する全ての値を含む。一例として、例えば温度、圧力、時間などのような構成要素の両又はプロセス変数の値が、例えば１から９０まで、好ましくは２０から８０まで、より好ましくは３０から７０まで変化すると述べられたら、１５から８５、２２から６８、４３から５１、３０から３２などのような値が、本明細書では明示的に列挙される。１より少ない値に関しては、１単位は、適切なように0.0001、0.001、0.01、又は0.1であるとみなされる。これらは、具体的に意図されていることの例に過ぎず、挙げられた最低値と最高値との間の数値の全ての可能な組み合わせが、同様な方法で本明細書に明示的に述べられているとみなされるべきである。
【００５６】
そうではないと述べられていない限り、全ての範囲は両端点及びその端点の間の全ての数を含む。範囲に関連した「約」又は「およそ」の使用は、その範囲の両端に適用される。これより、「約２０〜３０」は、「約２０から約３０」をカバーすることが意図され、少なくともその特定された端点を含む。
【００５７】
特許出願及び特許文献を含む全ての記事及び文献の開示は、全ての目的のために参照によって援用される。組み合わせを記述するための「本質的に〜から成っている」という用語は、特定された要素、成分、構成要素、又はステップを含み、且つ組み合わせの基本的及び新規な特性に物質的に影響しないその他の要素、成分、構成要素、又はステップを含む。ここにおける組み合わせを記述するための「備える」又は「含む」という用語もまた、本質的に要素、成分、構成要素、又はステップから成る実施形態を企図している。ここにおける「〜し得る」という用語の使用により、含まれ「得る」あらゆる記述された属性がオプションであることが意図されている。
【００５８】
複数の要素、成分、構成要素、又はステップは、単一の一体化された要素、成分、構成要素、又はステップによって提供されることができる。あるいは、単一の一体化された要素、成分、構成要素、又はステップは、別個の複数の要素、成分、構成要素、又はステップに区分され得る。要素、成分、構成要素、又はステップを記述するための「ある（a）」又は「一つの（one）」の開示は、付加的な要素、成分、構成要素、又はステップを排除することは意図されていない。
【００５９】
上記の記述が描写的であって限定的ではないことが理解される。提供されたもの以外の多くの実施形態ならびに多くのアプリケーションが、上記の記述を読むことによって、当業者には明らかになるであろう。したがって、本教示の範囲は、上記の記述を参照して決定されるべきではなく、代わりに、添付の請求項を、そのような請求項が示す等価物の完全な範囲と共に参照して決定されるべきである。特許出願及び特許文献を含む全ての記事及び文献の開示は、全ての目的のために参照によって援用される。ここで開示された主題の任意の局面が以下の請求項から省かれていることは、そのような主題の放棄ではなく、本発明者がそのような主題を、開示された発明的な主題の一部とみなしていないとみなされるべきではない。
【図１】
0006043439.tif 000002
【図２】
0006043439.tif 000003
【図３】
0006043439.tif 000004
【図４】
0006043439.tif 000005
【図５】
0006043439.tif 000006
【図６Ａ】
0006043439.tif 000007
【図６Ｂ】
0006043439.tif 000008
【図６Ｃ】
0006043439.tif 000009
【図７Ａ１】
0006043439.tif 000010
【図７Ａ２】
0006043439.tif 000011
【図７Ｂ】
0006043439.tif 000012
【図７Ｃ】
0006043439.tif 000013
【図７Ｄ】
0006043439.tif 000014